【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
精密に整合されたＣＴ検出器モジュール（５０）であって、
中心部分に細長い貫通したアクセス・スロット（６１）と、少なくとも１つの端部に第１の開口（６０）とを有する支持構造体（５２）と、
第２の開口（６２）を備える端部と少なくとも２つの平行な面を有する少なくとも１つのスペーサ（５６）と、
前記第２の開口（６２）を介して前記少なくとも１つのスペーサ（５６）に作動的に連結され、前記第１の開口（６０）を介して前記支持構造体（５２）に作動的に連結されて、支持構造体サブアセンブリを形成する少なくとも１つの整合ピン（５５）と、
前記支持構造体サブアセンブリに作動的に連結された複数の検出器部品と、
を含み、
前記少なくとも１つの整合ピン（５５）は、それに対して前記支持構造体（５２）、前記少なくとも１つのスペーサ（５６）、及び前記複数の検出器部品が精密に整合される局所基準点として利用され、
前記少なくとも１つの整合ピン（５５）の一部が前記少なくとも２つの平行な面の各々を貫通することを特徴とする検出器モジュール（５０）。
【請求項２】
前記複数の検出器部品が、電子フレクスコネクタ（５４）と、少なくとも１つのダイオード（５７）と、少なくとも１つのシンチレータパック（５８）とを含み、前記電子フレクスコネクタ（５４）が、前記少なくとも１つのダイオード（５７）及びデータ収集システムに作動的に連結され、前記少なくとも１つのシンチレータパック（５８）が、前記少なくとも１つのダイオード（５７）に作動的に連結されていることを特徴とする、請求項１に記載の検出器モジュール。
【請求項３】
前記電子フレクスコネクタ（５４）、前記少なくとも１つのダイオード（５７）、及び前記少なくとも１つのシンチレータパック（５８）が、前記少なくとも１つの整合ピン（５５）に対して全て精密に整合されていることを特徴とする、請求項２に記載の検出器モジュール。
【請求項４】
前記検出器モジュールが、該検出器モジュールに作動的に連結されたコリメータ組立体（５９）を更に含むことを特徴とする、請求項２に記載の検出器モジュール。
【請求項５】
前記コリメータ組立体（５９）が、前記少なくとも１つの整合ピン（５５）に対して精密に整合されていることを特徴とする、請求項４に記載の検出器モジュール。
【請求項６】
前記検出器モジュールが、ＣＴイメージングシステム（１０）に作動的に連結され、前記ＣＴイメージングシステム（１０）が、前記少なくとも１つの整合ピン（５５）に対して精密に整合されていることを特徴とする、請求項１に記載の検出器モジュール。
【請求項７】
前記スペーサの上面（７０）及び前記スペーサの底面（７１）が、それぞれ所定の平面度要件を満たし、かつ前記スペーサの上面（７０）及び前記スペーサの底面（７１）が、所定の共面性要件を満たしていることを特徴とする、請求項１に記載の検出器モジュール。
【請求項８】
前記少なくとも１つの整合ピン（５５）が前記少なくとも１つのスペーサ（５６）内に挿入されたとき、該少なくとも１つの整合ピン（５５）は、前記スペーサの上面（７０）及び前記スペーサの底面（７１）との間の所定の垂直度要件を満たしていることを特徴とする、請求項１に記載の検出器モジュール。
【請求項９】
精密に整合されたＣＴ検出器モジュール（５０）を容易にかつ正確に組み立てる方法であって、
支持構造体（５２）と、少なくとも１つのスペーサ（５６）と、少なくとも１つの整合ピン（５５）とを互いに整合させる段階であって、前記支持構造体（５２）が中心部分に細長い貫通したアクセス・スロット（６１）と、少なくとも１つの端部に第１の開口（６０）とを有する長方形の部材片を含み、前記少なくとも１つのスペーサ（５６）が第２の開口（６２）を備える端部を有する、前記段階と、
少なくとも２つの平行な面を有する前記支持構造体（５２）と、前記少なくとも１つのスペーサ（５６）と、前記少なくとも１つの整合ピン（５５）とを互いに作動的に連結して、支持構造体サブアセンブリを形成する段階であって、前記少なくとも１つの整合ピン（５５）が前記支持構造体（５２）の前記第１の開口（６０）と、前記少なくとも１つのスペーサ（５６）の前記第２の開口（６２）を貫通する、前記段階と、
複数の検出器部品を前記少なくとも１つの整合ピン（５５）に対して整合させる段階と、
前記複数の検出器部品を前記支持構造体サブアセンブリに作動的に連結する段階と、
を含み、
前記少なくとも１つの整合ピン（５５）は、それに対して前記支持構造体（５２）、前記少なくとも１つのスペーサ（５６）、及び前記複数の検出器部品を精密に整合される局所基準点として利用され、
前記少なくとも１つの整合ピン（５５）の一部が前記少なくとも２つの平行な面の各々を貫通することを特徴とする方法。
【請求項１０】
精密に整合された検出器モジュール（５０）を容易にかつ正確に組み立てるためのシステムであって、
少なくとも２つの平行な面を有する支持構造体（５２）と、少なくとも１つのスペーサ（５６）と、少なくとも１つの整合ピン（５５）とを互いに整合させるための手段と、
前記支持構造体（５２）と、前記少なくとも１つのスペーサ（５６）と、前記少なくとも１つの整合ピン（５５）とを互いに作動的に連結して、支持構造体サブアセンブリを形成するための手段と、
複数の検出器部品を前記少なくとも１つの整合ピン（５５）に対して整合させるための手段と、
前記複数の検出器部品を前記支持構造体サブアセンブリに作動的に連結するための手段と、
を含み、
前記支持構造体（５２）が中心部分に細長い貫通したアクセス・スロット（６１）と、少なくとも１つの端部に第１の開口（６０）とを有する長方形の部材片を含み、
前記少なくとも１つのスペーサ（５６）が第２の開口（６２）を備える端部を有し、
前記少なくとも１つの整合ピン（５５）の一部が前記少なくとも２つの平行な面の各々を貫通し、
前記少なくとも１つの整合ピン（５５）は、それに対して前記支持構造体（５２）、前記少なくとも１つのスペーサ（５６）、及び前記複数の検出器部品が精密に整合される局所基準点として利用され、
前記少なくとも１つの整合ピン（５５）の一部が前記少なくとも２つの平行な面の各々を貫通する
ことを特徴とするシステム。
【手続補正２】
【補正対象書類名】明細書
【補正対象項目名】０００３
【補正方法】変更
【補正の内容】
【０００３】
平坦な検出器表面の背後に、各検出器モジュールは、それぞれＸ座標及びＹ座標に整合された検出器素子の横列及び縦列を備える。更に、各検出器モジュールは一般的に、検出器素子により生成されたＸ線強度信号を収集し、次いでこれらの強度信号をＣＴ値（すなわち、ハウンスフィールド単位）に変換するデータ収集回路を備えており、該ＣＴ値は、逆投影又はその類似の方法によるその後のイメージ再構成のために格納される。患者投影後（ｐｏｓｔ−ｐａｔｉｅｎｔ）コリメータ、シンチレータパック、フォトダイオード、及び電子フレクスコネクタ（ｅｌｅｃｔｒｏｎｉｃ ｆｌｅｘ ｃｏｎｎｅｃｔｏｒ）のような種々の他の部品もまた、これらの検出器モジュールに取り付けることができる。そのような付属部品は全て、互いに精密に位置決めされなければならず、このことが現在のＣＴイメージングシステムの製造を極めて困難なものにしている。従って、多くの場合、許容できる品質のＣＴイメージングシステムを顧客に出荷することが可能となる前に、種々の部品の広範囲にわたる試験、再加工及び再調整が必要となる。
【特許文献１】米国特許出願公開第2002/0064252号